(57)【特許請求の範囲】
【請求項１】
第１記憶手段を備え、自装置の状態変化又は障害の発生を検知し、この検知された状態変化又は障害情報を前記第１記憶手段に記憶する複数の被監視装置と、現用／予備構成であって現用／予備側とも前記複数の被監視装置とバスで接続され、現用側が前記バスを介して前記第１記憶手段に記憶された状態変化又は障害情報を読み込んで前記被監視装置の監視を行う監視装置と、を具備することを特徴とする監視システム。
【請求項２】
監視装置は、第２記憶手段を備え、予備側が自装置の状態変化又は障害の発生を検知し、この検知された状態変化又は障害情報を前記第２記憶手段に記憶し、現用側がバスを介して前記第２記憶手段に記憶された状態変化又は障害情報を読み込んで前記予備側の監視を行うことを特徴とする請求項１記載の監視システム。
【請求項３】
被監視装置は、検知された状態変化又は障害情報をバスを介して監視装置へ通知し、前記監視装置は、前記通知された状態変化又は障害情報を現用側のみが受け付けることを特徴とする請求項１又は請求項２記載の監視システム。
【請求項４】
被監視装置は、検知された状態変化又は障害情報をバスを介して監視装置へ通知し、前記監視装置は、前記通知された状態変化又は障害情報を現用側のみが上位装置へ通知することを特徴とする請求項１又は請求項２記載の監視システム。
【請求項５】
請求項１から請求項４いずれかに記載の監視システムを具備することを特徴とする基地局装置。
【請求項６】
請求項５記載の基地局装置を具備することを特徴とする移動体通信システム。
【請求項７】
複数の被監視装置の各々が、自装置の状態を検知し、この検知された状態情報を記憶し、現用／予備構成とされた現用の監視装置が、前記記憶された状態情報を読み込んで前記被監視装置の監視を行うことを特徴とする監視方法。
【請求項８】
予備の監視装置が、自装置の状態を検知し、この検知された状態情報を記憶し、現用の監視装置が前記記憶された状態情報を読み込んで前記予備の監視装置の監視を行うことを特徴とする請求項７記載の監視方法。
【請求項９】
被監視装置は、検知された状態情報を現用／予備の監視装置へ通知し、この通知された状態情報を現用の監視装置のみが受け付けることを特徴とする請求項７又は請求項８記載の監視方法。
【請求項１０】
被監視装置は、検知された状態情報を現用／予備の監視装置へ通知し、この通知された状態情報を現用の監視装置のみが上位装置へ通知することを特徴とする請求項７又は請求項８記載の監視方法。
【発明の詳細な説明】
【０００１】
【発明の属する技術分野】
本発明は、移動体通信システムにおける基地局装置等に設けられ、装置内の種々の処理機能を司る被監視手段の状態変化及び障害の発生を監視する監視システム及び方法に関する。
【０００２】
【従来の技術】
従来、この種の監視システム及び方法としては、特許公報第２８４５０４９号に記載されているものがある。
【０００３】
監視システムとしては、例えば無線基地局を構成する種々の処理機能を有する各被監視カードの状態及び障害の監視を行う場合、各被監視カードにバスを介して監視制御カードを接続し、各被監視カードの状態変化発生時又は障害発生時に、該当被監視カードが自発的にその情報を示す電文をバスを介して監視制御カードへ送信することにより実現されていた。
【０００４】
また、別の方法としては、監視制御カードから状態収集の要求電文を被監視カードに送信し、被監視カードからの確認電文に状態や障害情報を載せて返信することにより実現されていた。
【０００５】
更に、監視制御カードが、２枚の同一カードで現用／予備構成を採る場合、被監視カードの確認電文は要求電文送信元の監視制御カードに送り返せば良いが、被監視カードの自発的な通知電文では現用の監視制御カードに送信するために現用となっている監視制御カードが何れであるかを常に把握している必要があり、このため監視制御カードの現用カードに切り替る度に、全被監視カードに対して新現用カードを知らせるようになっていた。
【０００６】
【発明が解決しようとする課題】
しかしながら、従来の装置においては、例えば、無線基地局のように近年、それに求められる機能及び処理能力が増大しており、信頼性を高めるために現用／予備構成等の冗長構成を採るカードも多くなっている。この結果として無線基地局を構成するカード種別は増加傾向にあり、第三世代の無線基地局では総カード枚数は１００枚程度にまで及んでいる。
【０００７】
各カードの監視通知処理はソフトウェアで実現されるため、従来方式のように監視カードと複数の被監視カード間で同期を取って電文の送受信を行うことは、監視制御カードを制御するＣＰＵにとって大きな負荷となる問題がある。
【０００８】
例えば、監視制御カードのＣＰＵは監視以外の処理も行っているので、この処理中に被監視カードからの状態変化及び障害を示す電文が送信されてきた場合、現在の処理を割り込み処理によって中断したのち監視処理を行わなければならず、これが大きな負荷となっていた。
【０００９】
また、被監視カードにおいても各カードが受け持つ本来の処理に多くの資源を割当るため、監視制御機能に割当てる資源をできるだけ抑える必要があるが、上記のように監視制御カードとのやり取りを行わなければならないので、監視制御機能が割り当てられる比率が大きくなるという問題がある。
【００１０】
本発明はかかる点に鑑みてなされたものであり、無線基地局等に設けられた各種処理を行う多数の被監視カードを監視制御カードで監視する際に、互いのカードに設けられたＣＰＵの負荷を軽くすることができ、被監視カード数がシステムの拡張に伴い増加しても同様に負荷を軽減した状態で監視制御を行うことができる監視システム及び方法を提供することを目的とする。
【００１１】
【課題を解決するための手段】
本発明は、複数の被監視装置に、記憶手段を備え、自装置の状態変化又は障害の発生を検知し、この検知された状態変化又は障害情報を記憶手段に記憶し、この記憶された状態変化又は障害情報を、バスを介して、現用／予備構成における現用の監視装置で読み込んで複数の被監視装置の監視を行う。
【００１２】
【発明の実施の形態】
本発明の第１の態様は、第１記憶手段を備え、自装置の状態変化又は障害の発生を検知し、この検知された状態変化又は障害情報を前記第１記憶手段に記憶する複数の被監視装置と、現用／予備構成であって現用／予備側とも前記複数の被監視装置とバスで接続され、現用側が前記バスを介して前記第１記憶手段に記憶された状態変化又は障害情報を読み込んで前記被監視装置の監視を行う監視装置と、を具備する構成を採る。
【００１３】
この構成によれば、監視装置が、自装置の任意タイミングで複数の被監視装置の状態変化又は障害情報を読み込んで監視処理を行うことができるので、従来のように監視装置と複数の被監視装置間で同期を取って監視する必要がなくなることから、監視装置の処理負荷を軽減することができる。また、複数の被監視装置が、各々自装置内で状態変化又は障害を検知して記憶するだけで済むので、従来のような監視装置とのやり取りが不要となり、これによって監視制御機能が割り当てられる比率が減少するので、被監視装置の処理負荷を軽減することができる。
【００１４】
本発明の第２の態様は、第１の態様において、監視装置は、第２記憶手段を備え、予備側が自装置の状態変化又は障害の発生を検知し、この検知された状態変化又は障害情報を前記第２記憶手段に記憶し、現用側がバスを介して前記第２記憶手段に記憶された状態変化又は障害情報を読み込んで前記予備側の監視を行う構成を採る。
【００１５】
この構成によれば、現用の監視装置で、予備の監視装置の状態変化又は障害の発生を監視することができる。
【００１６】
本発明の第３の態様は、第１の態様又は第２の態様において、被監視装置は、検知された状態変化又は障害情報をバスを介して監視装置へ通知し、前記監視装置は、前記通知された状態変化又は障害情報を現用側のみが受け付ける構成を採る。
【００１７】
この構成によれば、被監視装置が、監視装置の現用／予備を認識しなくとも状態変化又は障害情報を通知することができ、これによって従来のような監視装置とのやり取りが不要となり、監視制御機能が割り当てられる比率が減少するので、被監視装置の処理負荷を軽減することができる。
【００１８】
本発明の第４の態様は、第１の態様又は第２の態様において、被監視装置は、検知された状態変化又は障害情報をバスを介して監視装置へ通知し、前記監視装置は、前記通知された状態変化又は障害情報を現用側のみが上位装置へ通知する構成を採る。
【００１９】
この構成によれば、被監視装置が、監視装置の現用／予備を認識しなくとも状態変化又は障害情報を通知することができ、これによって従来のような監視装置とのやり取りが不要となり、監視制御機能が割り当てられる比率が減少するので、被監視装置の処理負荷を軽減することができる。
【００２０】
本発明の第５の態様は、基地局装置に、第１の態様から第４の態様いずれかに記載の監視システムを具備する構成を採る。
【００２１】
この構成によれば、基地局装置においても第１の態様から第４の態様いずれかと同様の作用効果を得ることができる。
【００２２】
本発明の第６の態様は、移動体通信システムに、第５の態様記載の基地局装置を具備する構成を採る。
【００２３】
この構成によれば、移動体通信システムにおいても第５の態様と同様の作用効果を得ることができる。
【００２４】
本発明の第７の態様は、複数の被監視装置の各々が、自装置の状態を検知し、この検知された状態情報を記憶し、現用／予備構成とされた現用の監視装置が、前記記憶された状態情報を読み込んで前記被監視装置の監視を行うようにした。
【００２５】
この方法によれば、監視装置が、自装置の任意タイミングで複数の被監視装置の状態情報を読み込んで監視処理を行うことができるので、従来のように監視装置と複数の被監視装置間で同期を取って監視する必要がなくなることから、監視装置の処理負荷を軽減することができ、また、複数の被監視装置が、各々自装置内で状態を検知して記憶するだけで済むので、従来のような監視装置とのやり取りが不要となり、これによって監視制御機能が割り当てられる比率が減少するので、被監視装置の処理負荷を軽減することができる。
【００２６】
本発明の第８の態様は、第７の態様において、予備の監視装置が、自装置の状態を検知し、この検知された状態情報を記憶し、現用の監視装置が前記記憶された状態情報を読み込んで前記予備の監視装置の監視を行うようにした。
【００２７】
この方法によれば、現用の監視装置で、予備の監視装置の状態を監視することができる。
【００２８】
本発明の第９の態様は、第７の態様又は第８の態様において、被監視装置は、検知された状態情報を現用／予備の監視装置へ通知し、この通知された状態情報を現用の監視装置のみが受け付けるようにした。
【００２９】
この方法によれば、被監視装置が、監視装置の現用／予備を認識しなくとも状態情報を通知することができ、これによって従来のような監視装置とのやり取りが不要となり、監視制御機能が割り当てられる比率が減少するので、被監視装置の処理負荷を軽減することができる。
【００３０】
本発明の第１０の態様は、第７の態様又は第８の態様において、被監視装置は、検知された状態情報を現用／予備の監視装置へ通知し、この通知された状態情報を現用の監視装置のみが上位装置へ通知するようにした。
【００３１】
この方法によれば、被監視装置が、監視装置の現用／予備を認識しなくとも状態情報を通知することができ、これによって従来のような監視装置とのやり取りが不要となり、監視制御機能が割り当てられる比率が減少するので、被監視装置の処理負荷を軽減することができる。
【００３２】
以下、本発明の実施の形態について、図面を参照して詳細に説明する。
【００３３】
（実施の形態）
図１は、本発明の実施の形態に係る監視システムの構成を示すブロック図である。
【００３４】
但し、この図１に示す監視システム１００は、移動体通信システムにおける基地局装置に設けられ、基地局装置内の種々の処理機能を司る被監視カードの状態変化及び障害の発生を監視するものとする。
【００３５】
図１に示す監視システム１００は、何れか一方が現用、他方が予備となるＮ系監視制御カード１０１及びＥ系監視制御カード１０２と、監視制御カード１０１又は１０２によってその状態変化及び障害の発生が監視される第１及び第２被監視カード１０３，１０４と、各監視制御カード１０１，１０２及び各被監視カード１０３，１０４を全て相互に接続する監視制御バス１０５とを備えて構成されている。
【００３６】
但し、第１及び第２被監視カード１０３，１０４は便宜上２枚としたが、監視制御バス１０５の接続能力の範囲内であれば特に枚数に制限はない。
【００３７】
Ｎ系及びＥ系監視制御カード１０１，１０２は、同一構成で監視処理機能以外に基地局装置の運営に必要な処理機能を備えており、監視制御バス１０５の制御を行うバス制御部１０６，１０７と、予備となっている場合に自カードの状態変化及び障害情報が記憶されるバスレジスタ１０８，１０９と、監視処理及び基地局装置の運営に必要な処理を行うＣＰＵ１１０，１１１とを備えて構成されている。
【００３８】
第１及び第２被監視カード１０３，１０４は、被監視処理以外に基地局装置の運営に必要な処理機能を備えており、監視制御バス１０５の制御を行うバス制御部１１２，１１３と、自カードの状態変化及び障害情報が記憶されるバスレジスタ１１４，１１５と、被監視処理及び基地局装置の運営に必要な処理を行うＣＰＵ１１６，１１７とを備えて構成されている。
【００３９】
このような構成の監視システム１００において被監視カードに状態変化が生じた場合の動作を説明する。但し、Ｎ系監視制御カード１０１が現用、Ｅ系監視制御カード１０２が予備で運用されているものとする。
【００４０】
まず、第１被監視カード１０３に状態変化が発生した場合、ＣＰＵ１１６は、被監視処理を行うためのソフトウェアに応じて状態変化を検知し、この状態変化情報をバスレジスタ１１４の所定記憶領域に書き込む。
【００４１】
Ｎ系監視制御カード１０１のＣＰＵ１１０は、監視処理を行うためのソフトウェアに応じて、監視に必要な周期で第１及び第２被監視カード１０３，１０４の状態を監視しており、第１被監視カード１０３の監視タイミングが来ると、バス制御部１０６を制御させることによって監視制御バス１０５を介して第１被監視カード１０３のＣＰＵ１１６の関与なしに、バスレジスタ１１４に書き込まれた状態変化情報の値を読み取る。
【００４２】
つまり、Ｎ系監視制御カード１０１は、第１被監視カード１０３と同期することになしに、その状態変化を収集して監視を行っている。
【００４３】
これと同様に他の第２被監視カード１０４についても、その状態変化を収集して監視を行っている。
【００４４】
また、予備となっているＥ系監視制御カード１０２においても、その状態変化を監視しておく必要があるので、被監視カード１０３に同様に状態変化が発生した場合、Ｅ系監視制御カード１０２のＣＰＵ１１１が、被監視処理を行うためのソフトウェアに応じて状態変化を検知し、この状態変化情報をバスレジスタ１０９の所定記憶領域に書き込む。
【００４５】
そして、Ｎ系監視制御カード１０１のＣＰＵ１１０が、監視処理を行うためのソフトウェアに応じて、監視に必要な周期でＥ系監視制御カード１０２の状態を監視しており、Ｅ系監視制御カード１０２の監視タイミングが来ると、バス制御部１０６を制御させることによって監視制御バス１０５を介してＥ系監視制御カード１０２のＣＰＵ１１１の関与なしに、バスレジスタ１０９に書き込まれた状態変化情報の値を読み取る。
【００４６】
このような監視は、第１及び第２被監視カード１０３，１０４とも被監視処理のための機能が同一なので、予備のＥ系監視制御カード１０２が現用となっても、同様に監視が可能である。更に、各監視制御カード１０１，１０２も同一構成なので、何れが現用／予備となっても予備側を上記と同様に監視することができる。
【００４７】
なお、各カード１０１〜１０４に内蔵されるバス制御部１０６，１０７，１１２，１１３のコストダウンのため、他カードからのバスレジスタアクセス時に自カードのＣＰＵが関与する形態を取ることも考えられる。また、本実施の形態では、各カード１０１〜１０４に内蔵されるバス制御部１０６，１０７，１１２，１１３が同一の仕組みと説明したが、コストパフォーマンスを向上させるため、監視制御カード１０１，１０２のみをバスマスタとし、他のカードはスレーブとする構成をとっても良い。更に、監視制御バス１０５を介して各被監視カードの監視を行うと説明したが、監視制御バス１０５の代わりに呼処理等主信号系の処理を行なうバスとの共通バスを用いる構成を採っても良い。
【００４８】
次に、被監視カードに障害が生じた場合の動作を説明する。但し、Ｎ系監視制御カード１０１が現用、Ｅ系監視制御カード１０２が予備で運用されているものとする。
【００４９】
まず、第１被監視カード１０３に障害が発生した場合、ＣＰＵ１１６は、被監視処理を行うためのソフトウェアに応じて障害の発生を検知し、この障害情報をバスレジスタ１１４の所定記憶領域に書き込む。
【００５０】
Ｎ系監視制御カード１０１のＣＰＵ１１０は、監視処理を行うためのソフトウェアに応じて、監視に必要な周期で第１及び第２被監視カード１０３，１０４の状態を監視しており、第１被監視カード１０３の監視タイミングが来ると、バス制御部１０６を制御させることによって監視制御バス１０５を介して第１被監視カード１０３のＣＰＵ１１６の関与なしに、バスレジスタ１１４に書き込まれた障害情報の値を読み取る。
【００５１】
つまり、Ｎ系監視制御カード１０１は、第１被監視カード１０３と同期することになしに、その障害の発生を収集して監視を行っている。
【００５２】
これと同様に他の第２被監視カード１０４についても、その障害の発生を収集して監視を行っている。
【００５３】
また、予備となっているＥ系監視制御カード１０２においても、その障害の発生を監視しておく必要があるので、被監視カード１０３に同様に障害の発生が発生した場合、Ｅ系監視制御カード１０２のＣＰＵ１１１が、被監視処理を行うためのソフトウェアに応じて障害の発生を検知し、この障害情報をバスレジスタ１０９の所定記憶領域に書き込む。
【００５４】
そして、Ｎ系監視制御カード１０１のＣＰＵ１１０が、監視処理を行うためのソフトウェアに応じて、監視に必要な周期でＥ系監視制御カード１０２の状態を監視しており、Ｅ系監視制御カード１０２の監視タイミングが来ると、バス制御部１０６を制御させることによって監視制御バス１０５を介してＥ系監視制御カード１０２のＣＰＵ１１１の関与なしに、バスレジスタ１０９に書き込まれた障害情報の値を読み取る。
【００５５】
このような監視は、第１及び第２被監視カード１０３，１０４とも被監視処理のための機能が同一なので、予備のＥ系監視制御カード１０２が現用となっても、同様に監視が可能である。更に、各監視制御カード１０１，１０２も同一構成なので、何れが現用／予備となっても予備側を上記と同様に監視することができる。
【００５６】
但し、障害情報の値とは、障害の種別を予めビットに割当ておき、当該ビットが例えば「１」時に障害が発生していることを表わすものである。障害の種別の代表的なものとしては、ウオッチドッグタイムアウトやメモリ障害、クロック障害、バス障害などがある。
【００５７】
次に、被監視カードの状態変化又は障害の内容が特別な場合に、それらを監視制御カードへ直接通知する場合の動作を説明する。但し、Ｎ系監視制御カード１０１が現用、Ｅ系監視制御カード１０２が予備で運用されているものとする。
【００５８】
まず、第１被監視カード１０３が現用のＮ系監視制御カード１０１に状態変化又は障害の通知が必要となった場合、第１被監視カード１０３のＣＰＵ１１６は、何れの監視制御カード１０１，１０２が現用／予備であるかを把握していないため、バス制御部１１２を制御して、双方の監視制御カード１０１，１０２に状態変化又は障害情報を送信する。
【００５９】
Ｎ系監視制御カード１０１のＣＰＵ１１０は、自カードが現用であることを認識しているので、通知された状態変化又は障害情報を受付て処理を行う。一方、Ｅ系監視制御カード１０２のＣＰＵ１１１は、自カードが予備であることを認識しているので、通知された状態変化又は障害情報を受付処理で破棄する。
【００６０】
なお、被監視カードから監視制御カードへの状態変化又は障害情報の通知は、監視制御バス１０５の同報機能を使用しても、個々に送信しても良い。また、状態変化又は障害情報の破棄処理は、バス制御部１０７で行っても、ＣＰＵ１１１のソフトウェアで実現しても良い。
【００６１】
この他、被監視カードから監視制御カードへの状態変化又は障害情報の通知を行う場合に、現用／予備双方の監視制御カード１０１，１０２が状態変化又は障害情報を受信して処理を行い、この後、現用の監視制御カード１０１のみが、監視者がそれを見て監視業務を行う上位装置へ、その処理された状態変化又は障害情報を送信するようにしても良い。
【００６２】
このように、本実施の形態の監視システム１００によれば、第１及び第２被監視カード１０３，１０４に、バスレジスタ１１４，１１５を備え、ＣＰＵ１１６，１１７で自装置の状態変化又は障害の発生を検知し、この検知された状態変化又は障害情報をバスレジスタ１１４，１１５に記憶し、この記憶された状態変化又は障害情報を、監視制御バス１０５を介して、現用／予備構成における現用の監視制御カード１０１のＣＰＵ１１０で読み込んで第１及び第２被監視カード１０３，１０４の監視を行うように構成した。
【００６３】
これによって、監視制御カード１０１は、ＣＰＵ１１０自体の任意タイミングで第１及び第２被監視カード１０３，１０４の状態変化又は障害情報を読み込んで監視処理を行うことができるので、従来のように監視カードと複数の被監視カード間で同期を取って監視する必要がなくなることから、ＣＰＵ１１０の負荷を軽減することができる。
【００６４】
更に、第１及び第２被監視カード１０３，１０４は、各々自カード内で状態変化又は障害を検知して記憶するだけで済むので、従来のような監視制御カードとのやり取りが不要となり、これによって監視制御機能が割り当てられる比率が減少するので、ＣＰＵ１１６，１１７の負荷を軽減することができる。
【００６５】
また、現用／予備の監視制御カード１０１，１０２にバスレジスタ１０８，１０９を備え、予備の監視制御カード１０２のＣＰＵ１１１が自装置の状態変化又は障害の発生を検知し、この検知された状態変化又は障害情報をバスレジスタ１０９に記憶し、現用の監視制御カード１０１が監視制御バス１０５を介してバスレジスタ１０９に記憶された状態変化又は障害情報を読み込んで予備の監視制御カード１０２の監視を行うようにしたので、現用の監視制御カード１０１で、予備の監視制御カード１０２の状態変化又は障害の発生を監視することができる。
【００６６】
また、第１及び第２被監視カード１０３，１０４が、そのＣＰＵ１１６，１１７で検知された状態変化又は障害情報を、監視制御バス１０５を介して現用／予備の監視制御カード１０１，１０２へ通知し、この通知された状態変化又は障害情報を現用の監視制御カード１０１のみが受け付けるようにしたので、第１及び第２被監視カード１０３，１０４は、現用／予備を認識しなくとも状態変化又は障害情報を通知することができ、これによって従来のような監視制御カードとのやり取りが不要となり、監視制御機能が割り当てられる比率が減少するので、ＣＰＵ１１６，１１７の負荷を軽減することができる。
【００６７】
また、第１及び第２被監視カード１０３，１０４が、そのＣＰＵ１１６，１１７で検知された状態変化又は障害情報を、監視制御バス１０５を介して現用／予備の監視制御カード１０１，１０２へ通知し、この通知された状態変化又は障害情報を現用の監視制御カード１０１のみが上位の人が監視するための装置へ通知するようにしたので、第１及び第２被監視カード１０３，１０４は、現用／予備を認識しなくとも状態変化又は障害情報を通知することができ、これによって従来のような監視制御カードとのやり取りが不要となり、監視制御機能が割り当てられる比率が減少するので、ＣＰＵ１１６，１１７の負荷を軽減することができる。
【００６８】
【発明の効果】
以上説明したように、本発明によれば、無線基地局等に設けられた各種処理を行う多数の被監視カードを監視制御カードで監視する際に、互いのカードに設けられたＣＰＵの負荷を軽くすることができ、被監視カード数がシステムの拡張に伴い増加しても同様に負荷を軽減した状態で監視制御を行うことができる。
【図面の簡単な説明】
【図１】本発明の実施の形態に係る監視システムの構成を示すブロック図
【符号の説明】
１００  監視システム
１０１，１０２  監視制御カード
１０３，１０４  被監視カード
１０５  監視制御バス
１０８，１０９，１１４，１１５  バスレジスタ
【図１】
0003545642.tif 000002